(57)【要約】【課題】  従来のカメラは、マイクの感度や指向性などの集音特性を変更する操作に手間を要した。【解決手段】  集音特性の自動設定がメニュー選択されている場合、マイク３の感度は、アイセンサ１０やアイピースシャッタ検出部５２による人体やアイピースシャッタ５１の検出の有無に応じて、自動的に高感度または低感度のいずれかに調節される。また、マイク３の指向性は、アイセンサ１０やアイピースシャッタ検出部５２による人体やアイピースシャッタ５１の検出の有無に応じて、自動的に高指向性または低指向性のいずれかに調節される。【選択図】  図２
2010028759.tif 000002
【特許請求の範囲】
【請求項１】
被写体を撮像する撮像手段と、
撮影者により覗かれて前記撮像手段により撮像される被写体が視認されるファインダと、
被写界で発生する音を集音する集音手段と、
前記撮像手段により撮像される動画像および前記集音手段によって集音される音を記録する記録手段と、
前記ファインダの接眼部に人体が接近したことを検出する、前記接眼部の周辺に設けられた人体検出手段と、
前記接眼部に人体が接近したことが前記人体検出手段によって検出されると、前記集音手段の感度または指向性の集音特性を変更する制御を行う集音特性変更制御手段と
を備えていることを特徴とする撮影装置。
【請求項２】
被写体を撮像する撮像手段と、
撮影者により覗かれて前記撮像手段により撮像される被写体が視認されるファインダと、
被写界で発生する音を集音する集音手段と、
前記撮像手段により撮像される動画像および前記集音手段によって集音される音を記録する記録手段と、
前記ファインダに入射する光を遮光する、前記ファインダの接眼部に着脱自在に装着される遮光部材と、
前記接眼部に前記遮光部材が装着されたことを検出する遮光部材検出手段と、
前記接眼部に前記遮光部材が装着されていることが前記遮光部材検出手段によって検出されると、前記集音手段の感度または指向性の集音特性を変更する制御を行う集音特性変更制御手段と
を備えていることを特徴とする撮影装置。
【請求項３】
前記集音特性変更制御手段は、前記集音手段の感度または指向性の集音特性を高める変更制御を行うことを特徴とする請求項１または請求項２に記載の撮影装置。
【発明の詳細な説明】
【技術分野】
【０００１】
本発明は、被写界で発生する音を集音する集音手段を備えた撮影装置に関するものである。
【背景技術】
【０００２】
従来、このような撮影装置としては、例えば、下記の特許文献１に開示されるようなデジタルカメラがある。このデジタルカメラでは、集音手段を構成するマイクがマイクアンプ等を内蔵した音声処理ＬＳＩを介してＣＰＵに接続されており、このマイクにより、被写界で生じる種々の音が記録される。このようなデジタルカメラでは、撮像素子に投影される動画像と共にマイクで集音された音がメモリカードなどに記録される。記録された動画像がカメラ本体の背面液晶表示部などで再生表示されるときには、動画像と共に記録された音が再生音として再生される。
【特許文献１】特開２００６−４７８２６号公報（図３）
【発明の開示】
【発明が解決しようとする課題】
【０００３】
しかしながら、特許文献１に開示されるような上記従来の撮影装置では、マイクの感度や指向性といった集音特性は予め一定に設定されている。このため、撮影者は、遠く離れた位置で生じる音や、特定の方向から伝搬してくる音を集音手段によって適切に集音するには、メニュー画面に表示されるメニュー項目を選択してマイクの感度や指向性の調節を行わなければならず、操作に手間がかかってしまう。このような操作の手間を軽減する方策としては、メニュー画面に表示されるメニュー項目の選択をすることなく、マイクの感度や指向性を調節できる専用の操作ボタンを撮影装置に設けることが考えられる。しかし、この構成では、撮影装置に配置される操作ボタンの数をいたずらに増加させることになり、撮影装置の外観を煩雑なものにしてしまうと共に、専用の操作ボタンの新たな設置に伴う製造コストの上昇を招いてしまう。
【課題を解決するための手段】
【０００４】
本発明はこのような課題を解決するためになされたもので、
被写体を撮像する撮像手段と、
撮影者により覗かれて撮像手段により撮像される被写体が視認されるファインダと、
被写界で発生する音を集音する集音手段と、
撮像手段により撮像される動画像および集音手段によって集音される音を記録する記録手段と、
ファインダの接眼部に人体が接近したことを検出する、接眼部の周辺に設けられた人体検出手段と、
接眼部に人体が接近したことが人体検出手段によって検出されると、集音手段の感度または指向性の集音特性を変更する制御を行う集音特性変更制御手段と
を備えて撮影装置を構成した。
【０００５】
この構成によれば、撮影者がファインダを覗いて被写体を視認する際、撮影者の顔がファインダの接眼部に接近したことが、接眼部の周辺に設けられた人体検出手段によって検出される。人体検出手段によって撮影者の顔が接眼部に接近したことが検出されると、集音手段の感度または指向性の集音特性が集音特性変更制御手段によって変更される。このため、撮影者がファインダを覗くか覗かないかに応じて、集音手段の感度または指向性の集音特性は自動的に変更制御されるようになる。また、撮影者が指などの体の一部を接眼部の周辺に設けられた人体検出手段に近づけたり離したりすることによっても、集音手段の感度または指向性の集音特性を自動的に変更制御することができる。この結果、メニュー画面に表示されるメニュー項目の選択をすることなく、しかも、マイクの集音特性を調節する専用の操作ボタンを撮影装置に新たに設けることなく、集音手段の感度や指向性の集音特性を容易に調節することができるようになるため、撮影装置の外観が煩雑になったり、製造コストの上昇を招くこともない。
【０００６】
また、本発明は、
被写体を撮像する撮像手段と、
撮影者により覗かれて撮像手段により撮像される被写体が視認されるファインダと、
被写界で発生する音を集音する集音手段と、
撮像手段により撮像される動画像および集音手段によって集音される音を記録する記録手段と、
ファインダに入射する光を遮光する、ファインダの接眼部に着脱自在に装着される遮光部材と、
接眼部に遮光部材が装着されたことを検出する遮光部材検出手段と、
接眼部に遮光部材が装着されていることが遮光部材検出手段によって検出されると、集音手段の感度または指向性の集音特性を変更する制御を行う集音特性変更制御手段と
を備えて撮影装置を構成した。
【０００７】
この構成によれば、ファインダの接眼部に遮光部材が装着されたことが遮光部材検出手段によって検出されると、集音手段の感度または指向性の集音特性が集音特性変更制御手段によって変更される。このため、ファインダの接眼部に遮光部材が装着されるか否かに応じて、集音手段の感度または指向性の集音特性は自動的に変更制御されるようになる。この結果、リモート撮影によって撮影者が撮影装置から離れて撮影を行う場合、メニュー画面に表示されるメニュー項目の選択をして集音特性を調節することなく、ファインダに入射するノイズ光を遮光するために接眼部に遮光部材を単に装着させるだけで、容易に集音手段の感度や指向性の集音特性を調節することが可能になる。
【０００８】
また、本発明は、集音特性変更制御手段が、集音手段の感度または指向性の集音特性を高める変更制御を行うことを特徴とする。
【０００９】
この構成によれば、接眼部に人体が接近したことが人体検出手段によって検出され、または、接眼部に遮光部材が装着されたことが遮光部材検出手段によって検出されると、集音手段の感度または指向性の集音特性は集音特性変更制御手段によって高められる。集音手段の感度または指向性の集音特性が高められることにより、撮影者は、遠く離れた位置で生じる音、または特定の方向から伝搬してくる音を、集音手段によって適切に集音することができる。このため、撮影者は、被写界における音の発生位置や伝搬方向を気にすることなく、容易に、動画像の撮影および被写界で生じる音の記録を適切に行うことができる。
【発明の効果】
【００１０】
本発明による撮影装置によれば、上記のように、メニュー画面に表示されるメニュー項目の選択をすることなく、しかも、マイクの集音特性を調節する専用の操作ボタンを撮影装置に新たに設けることなく、集音手段の感度や指向性の集音特性を容易に調節することができるようになるため、撮影装置の外観が煩雑になったり、製造コストの上昇を招くこともない。また、リモート撮影によって撮影者が撮影装置から離れて撮影を行う場合、メニュー画面に表示されるメニュー項目の選択をして集音特性を調節することなく、ファインダに入射するノイズ光を遮光するために接眼部に遮光部材を単に装着させるだけで、容易に集音手段の感度や指向性の集音特性を調節することが可能になる。
【発明を実施するための最良の形態】
【００１１】
次に、本発明を実施するための最良の形態について説明する。
【００１２】
図１は、本実施形態によるデジタルカメラ１の外観を示す正面斜視図である。
【００１３】
同図に示すように、デジタルカメラ１の正面中央部には、被写界からの光を撮像素子に導く光学レンズユニット２が設けられている。光学レンズユニット２の右上方には、被写界で発生する音を拾って電気信号に変換するマイク３が設けられており、左上方には、シャッターボタン（レリーズボタン）４が設けられている。マイク３は、被写界で発生する音を集音する集音手段を構成している。また、デジタルカメラ１の右肩部上面には、撮影時の種々の情報が表示される撮影情報表示パネル５が設けられており、左肩部上面には、種々の撮影モードを設定するための撮影モードダイヤル６が設けられている。また、デジタルカメラ１の中央上部のペンタ部１Ａには、ストロボ装置を取り付けるためのホットシュー７が設けられている。
【００１４】
図２は、図１に示すデジタルカメラ１の外観を示す背面斜視図であり、同図（ａ）は、デジタルカメラ１にアイピースシャッタ５１が装着される前の状態、同図（ｂ）は、デジタルカメラ１にアイピースシャッタ５１が装着された状態を示している。なお、同図において図１と同一または相当する部分には同一の符号を付して説明する。
【００１５】
同図（ａ）に示すように、デジタルカメラ１の背面上部には、撮影者によって覗かれて、後述する撮像素子により撮像される被写体が視認される光学ファインダ８が設けられている。光学ファインダ８の接眼部８ａの下部周辺には、アイセンサ１０が設けられている。アイセンサ１０は、発光部１０Ａおよび受光部１０Ｂを備えた反射型フォトセンサで構成されている。撮影者が接眼部８ａに顔を近づけて光学ファインダ８を覗いたり、アイセンサ１０に指を近づけると、発光部１０Ａから出射した光が撮影者の顔や指に反射してその反射光が受光部１０Ｂで受光されて、接眼部８ａに撮影者の体が接近したことがアイセンサ１０によって検出される。アイセンサ１０は、光学ファインダ８の接眼部８ａに人体が接近したことを検出する、接眼部８ａの周辺に設けられた人体検出手段を構成している。
【００１６】
また、接眼部８ａの両側部には、溝８ｂが形成されている。光学ファインダ８に入射するノイズ光を遮光するアイピースシャッタ５１は、矢示するように接眼部８ａの上方から溝８ｂに嵌め込むことによって、同図（ｂ）に示すように接眼部８ａに装着される。光学ファインダ８の内部には、光学レンズユニット２を介して後述する撮像素子に入射する光量を計測する測光センサが設けられており、アイピースシャッタ５１が接眼部８ａに装着されることで、リモート撮影時に光学ファインダ８から入射する光によって測光センサに悪影響が及ぶことが防止される。また、接眼部８ａの左側には、アイピースシャッタ５１が接眼部８ａに装着されたことを検出するアイピースシャッタ検出部５２が設けられている。アイピースシャッタ検出部５２は、アイピースシャッタ５１の着脱に伴う明るさの変化を検出するセンサからなる。アイピースシャッタ５１は、光学ファインダ８に入射する光を遮光する、光学ファインダ８の接眼部８ａに着脱自在に装着される遮光部材を構成している。また、アイピースシャッタ検出部５２は、接眼部８ａにアイピースシャッタ５１が装着されたことを検出する遮光部材検出手段を構成している。
【００１７】
アイセンサ１０の下方には、デジタルカメラ１の操作情報の表示や、撮影画像の再生表示などが行われるＴＦＴ（Thin Film Transistor）液晶からなる液晶モニタ１１が設けられている。この液晶モニタ１１は、後述する撮像素子により撮像された撮影画像が表示される表示部を構成している。液晶モニタ１１の右側上部には、液晶モニタ１１に表示されるメニュー項目を選択する際などに操作される環状に形成されたマルチセレクタ１２が設けられている。このマルチセレクタ１２の中央部には、マルチセレクタ１２によって選択されたメニュー項目の内容を確定させる際などに操作される決定ボタン１３が配置されている。また、マルチセレクタ１２の下方には、撮影画像のデータの削除などを行うための削除ボタン１４が設けられている。
【００１８】
また、液晶モニタ１１の左側には、上から、撮影画像の再生表示を行う際に操作される再生ボタン１５、液晶モニタ１１にメニュー画面を表示させるためのメニューボタン１６、液晶モニタ１１に操作説明画面（ヘルプ画面）を表示させるためのヘルプボタン１７、液晶モニタ１１に表示される撮影画像のサムネイル表示や縮小表示を行う際に操作されるサムネイル・縮小ボタン１８、および液晶モニタ１１に表示される撮影画像の拡大表示を行う際に操作される拡大ボタン１９が設けられている。
【００１９】
また、デジタルカメラ１の背面右方上部には、ＩＳＯ（International Organization for Standardization）感度や露出モードなどを設定するためのコマンドダイヤル２０が設けられており、その下方には、スピーカから出力される音を放音させるための放音孔２１が形成されている。また、放音孔２１の下方には、蓋２２が設けられている。蓋２２の内部には、撮影した画像のデータを記録するメモリカードが脱着されるカードスロットが設けられている。
【００２０】
図３は、デジタルカメラ１の構成を示すブロック図である。
【００２１】
不揮発性メモリ３１には、ＣＰＵ３２が種々の処理を行なう際の制御プログラムが格納されており、ＣＰＵ３２はバッファメモリ３３を一時記憶作業領域として制御プログラムに従った制御を行う。
【００２２】
光学レンズユニット２を介して導かれた光は、撮像素子３４の受光面３４ａ上に被写体像を投影する。シャッターボタン４が半押しされると、ＣＰＵ３２は、オートフォーカス機能を作動させ、光学レンズユニット２の位置を移動して、撮像素子３４の受光面３４ａ上に投影される被写体像の焦点を自動調節する。撮像素子３４は、ＣＣＤ（Charge Coupled Device）やＣＭＯＳ（Complementary Metal Oxide Semiconductor）などからなり、被写体を撮像する撮像手段を構成している。撮像素子３４の受光面３４ａ上に結像した被写体像はアナログの撮像信号に変換され、この撮像信号は、Ａ／Ｄ変換部３５においてデジタル信号に変換される。画像処理部３６は、デジタル信号に変換された撮像信号をバス３７を介して取り込み、ホワイトバランス処理やガンマ補正、圧縮処理などの画像処理を行って、撮影された画像の画像データを生成する。生成された画像データは、ＣＰＵ３２によりバス３７を介してバッファメモリ３３に格納されると共に、バス３７およびＩ／Ｆ回路３８を介してメモリカード３９に記録される。また、ＣＰＵ３２は、生成された画像データに基づいて液晶モニタ１１に撮影画像を表示する。
【００２３】
操作部４０は、上述した各種ボタン４，１３〜１９、マルチセレクタ１２およびダイヤル６，２０からなり、バス３７に接続されている。また、バス３７には、上述したアイセンサ１０，スピーカ４１，ブザー４２，およびマイク３が接続されている。
【００２４】
スピーカ４１は、上述した放音孔２１の内部に設けられており、デジタルカメラ１の動作に応じて所定の音を出力する。具体的には、スピーカ４１は、撮像素子３４に投影される被写体像の焦点が合ったことを報知する合焦音や、シャッターボタン４が操作されて行われる通常撮影やセルフタイマ撮影におけるシャッター音、液晶モニタ１１に撮影画像がスライドショー形式などで再生表示されるときに出力される背景音、撮像素子３４により撮像された動画像が液晶モニタ１１に再生表示されるときに出力される再生音などを出力する。
【００２５】
ブザー４２は、デジタルカメラ１の内部に設けられており、撮影者がデジタルカメラ１を把持したときの手ぶれ，露出不足，ストロボ装置の充電未完了などが生じたときに、ＣＰＵ３２の制御に基づいて、撮影に不具合が生じたことを警告する警告音をビープ音として出力する。上述した合焦音や、シャッター音、警告音といった種々の所定の音は、スピーカ４１またはブザー４２のいずれから出力させるか、または、双方から出力させるかは、適宜設定される。
【００２６】
スピーカ４１およびブザー４２は、メニュー画面における図示しない音量設定画面で設定された音量で、上述した所定の音を出力する。この音量設定画面では、手動音量設定または自動音量設定のいずれかが選択される。手動音量設定が選択された場合には、スピーカ４１またはブザー４２から出力される音の音量の選択が撮影者の好みに応じて行われ、スピーカ４１またはブザー４２からは、選択された音量で音が出力される。一方、自動音量設定が選択された場合には、スピーカ４１またはブザー４２からは、アイセンサ１０による検出の有無に応じて自動的に大音量または小音量のいずれかに調節された音量の音が出力される。
【００２７】
また、マイク３は、デジタルカメラ１で動画像を撮影する際に、被写界における音を集音する。集音された音声信号は、ＣＰＵ３２により、撮像素子３４によって撮像された動画像のデータと共にメモリカード３９に記録される。ＣＰＵ３２およびメモリカード３９は、撮像素子３４により撮像される動画像およびマイク３によって集音される音を記録する記録手段を構成している。
【００２８】
マイク３の感度や指向性は、メニュー画面における集音特性設定画面において設定される。集音特性設定画面では、手動設定または自動設定のいずれかが選択される。手動設定が選択されている場合には、マイク３の感度や指向性が撮影者の好みに応じて設定され、動画像の撮影時に、マイク３は設定された集音特性で被写界の音を集音する。一方、自動設定が選択されている場合、マイク３の感度は、アイセンサ１０やアイピースシャッタ検出部５２による検出の有無に応じて、自動的に高感度または低感度のいずれかに調節される。また、マイク３の指向性は、アイセンサ１０やアイピースシャッタ検出部５２による検出の有無に応じて、自動的に高指向性または低指向性のいずれかに調節される。
【００２９】
上記の集音特性設定画面における設定に応じて行われるマイク３の感度の変更は、マイク３で集音される音声信号を増幅する図示しない増幅回路における増幅率（利得）を変化させることで実現される。また、上記の集音特性設定画面における設定に応じて行われるマイク３の指向性の調節は、例えば、コンデンサー型の単一指向性マイクを２個背中合わせに組み合わせたものを用い、無指向性と単一指向性との切り替えを行うことなどで実現される。
【００３０】
ＣＰＵ３２は、接眼部８ａに人体が接近したことがアイセンサ１０によって検出されると、または、接眼部８ａにアイピースシャッタ５１が装着されていることがアイピースシャッタ検出部５２によって検出されると、マイク３の感度または指向性の集音特性を変更する制御を行う集音特性変更制御手段を構成している。本実施形態では、ＣＰＵ３２は、接眼部８ａに人体が接近したことがアイセンサ１０によって検出され、または、接眼部８ａにアイピースシャッタ５１が装着されているときには、マイク３の感度または指向性を高める変更制御を行う。
【００３１】
上記の構成において、集音特性設定メニューで自動設定が選択されている場合、光学ファインダ８を覗きながら動画像の撮影を行うときには、接眼部８ａに撮影者の体が接近したことがアイセンサ１０によって検出されるため、高感度または高指向性に調節されたマイク３によって被写界の音の集音が行われる。また、集音特性設定メニューで自動設定が選択されている場合、液晶モニタ１１を見ながら動画像の撮影を行うときには、撮影者とデジタルカメラ１本体とが離れており、接眼部８ａに撮影者の体が接近したことがアイセンサ１０によって検出されないため、低感度または低指向性に調節されたマイク３によって被写界の音の集音が行われる。また、集音特性設定メニューで自動設定が選択されている場合、液晶モニタ１１を見ながら動画像の撮影を行うときであっても、撮影者が指などを接眼部８ａの周辺に設けられたアイセンサ１０に近づけたり、接眼部８ａにアイピースシャッタ５１を装着することにより、アイセンサ１０やアイピースシャッタ検出部５２による検出が行われ、高感度または高指向性に調節されたマイク３によって被写界の音の集音が行われる。
【００３２】
このような本実施形態によるデジタルカメラ１によれば、上述したように、撮影者が光学ファインダ８を覗いて被写体を視認する際、撮影者の顔が光学ファインダ８の接眼部８ａに接近したことが、接眼部８ａの周辺に設けられたアイセンサ１０によって検出される。アイセンサ１０によって撮影者の顔が接眼部８ａに接近したことが検出されると、マイク３の感度または指向性の集音特性がＣＰＵ３２によって変更される。このため、撮影者が光学ファインダ８を覗くか覗かないかに応じて、マイク３の感度または指向性の集音特性は自動的に変更制御されるようになる。また、撮影者が指などの体の一部を接眼部８ａの周辺に設けられたアイセンサ１０に近づけたり離したりすることによっても、マイク３の感度または指向性の集音特性を自動的に変更制御することができる。この結果、メニュー画面に表示されるメニュー項目の選択をすることなく、しかも、マイク３の集音特性を調節する専用の操作ボタンをデジタルカメラ１に新たに設けることなく、マイク３の感度や指向性の集音特性を容易に調節することができるようになるため、デジタルカメラ１の外観が煩雑になったり、製造コストの上昇を招くこともない。
【００３３】
また、本実施形態では、光学ファインダ８の接眼部８ａにアイピースシャッタ５１が装着されたことがアイピースシャッタ検出部５２によって検出されると、マイク３の感度または指向性の集音特性がＣＰＵ３２によって変更される。このため、光学ファインダ８の接眼部８ａにアイピースシャッタ５１が装着されるか否かに応じて、マイク３の感度または指向性の集音特性は自動的に変更制御されるようになる。この結果、リモート撮影によって撮影者がデジタルカメラ１から離れて撮影を行う場合、メニュー画面に表示されるメニュー項目の選択をして集音特性を調節することなく、光学ファインダ８に入射するノイズ光を遮光するために接眼部８ａにアイピースシャッタ５１を単に装着させるだけで、容易にマイク３の感度や指向性の集音特性を調節することが可能になる。
【００３４】
また、本実施形態では、接眼部８ａに人体が接近したことがアイセンサ１０によって検出されると、または、接眼部８ａにアイピースシャッタ５１が装着されたことがアイピースシャッタ検出部５２によって検出されると、マイク３の感度または指向性の集音特性は、ＣＰＵ３２によってそれぞれ高感度，高指向性に高められる。マイク３の感度または指向性の集音特性が高められることにより、撮影者は、遠く離れた位置で生じる音、または特定の方向から伝搬してくる音を、マイク３によって適切に集音することができる。このため、撮影者は、被写界における音の発生位置や伝搬方向を気にすることなく、容易に、動画像の撮影および被写界で生じる音の記録を適切に行うことができる。
【００３５】
なお、上記実施形態では、集音特性変更制御手段によって変更制御されるマイク３の感度や指向性として、それぞれ高感度と低感度、高指向性と低指向性というように２段階の集音特性が予め設定されている場合を説明したが、本発明はこれに限られるものではない。例えば、変更制御されるマイク３の感度や指向性として、３段階もしくはそれ以上の複数段階の集音特性が予め設定された構成とすることも可能である。
このように集音特性変更制御手段によって変更制御されるマイク３の感度や指向性が３段階以上に設定される構成の場合には、音の発生位置とデジタルカメラ１との間の距離や、音が伝搬してくる方向に応じて、さらに細かく集音特性の変更制御を行うことが可能になり、動画像の撮影時に、被写界で発生する音をより適切に集音できるようになる。
【００３６】
また、上記実施形態では、マイク３の感度および指向性の両方の集音特性が変更制御される場合を説明したが、本発明はこれに限られるものではない。マイク３の感度のみ、または指向性のみが変更制御される構成としてもよい。
【００３７】
また、上記実施形態では、発光部１０Ａおよび受光部１０Ｂを備えた反射型フォトセンサからなるアイセンサ１０を人体検出手段として用いた場合を説明したが、本発明はこれに限られるものではない。人体検出手段は、人体が接眼部８ａに接近したことを検出できるものであればよく、例えば、人体の熱を感知するセンサや、人体の接近に伴う接眼部８ａの周辺の明るさの変化を検出するセンサ、人体が接眼部８ａに接近して接触したことを検出するタッチセンサなどの種々のセンサを用いることが可能である。同様に、遮光部材検出手段は、明るさの変化を検出するアイピースシャッタ検出部５２の代わりに、アイピースシャッタ５１が接眼部８ａに装着されることでオンする接点を備えたスイッチや、その他のセンサを用いてもよい。また、アイピースシャッタ５１の高さ寸法を長くし、アイピースシャッタ５１が接眼部８ａに装着されたことをアイセンサ１０で検出するように構成することも可能である。
【産業上の利用可能性】
【００３８】
上記実施形態においては、本発明による撮影装置をデジタルカメラに適用した場合について説明したが、カメラ付き携帯電話機や動画像を撮影するデジタルビデオカメラなどであって、被写界で発生する音を集音する集音手段を備えた他の種々の撮影装置に本発明を適用することも可能である。このような撮影装置に本発明を適用した場合においても、上記実施形態と同様の作用効果が奏される。
【図面の簡単な説明】
【００３９】
【図１】本実施形態によるデジタルカメラの外観を示す正面斜視図である。
【図２】図１に示すデジタルカメラの外観を示す背面斜視図であり、（ａ）は、アイピースシャッタが装着される前の状態、（ｂ）は、アイピースシャッタが装着された状態を示している。
【図３】図１に示すデジタルカメラの構成を示すブロック図である。
【符号の説明】
【００４０】
１…デジタルカメラ
２…光学レンズユニット
３…マイク
４…シャッターボタン
８…光学ファインダ
８ａ…接眼部
１０…アイセンサ
１０Ａ…発光部
１０Ｂ…受光部
１１…液晶モニタ
２１…放音孔
３１…不揮発性メモリ
３２…ＣＰＵ
３３…バッファメモリ
３４…撮像素子
３９…メモリカード
４０…操作部
４１…スピーカ
４２…ブザー
５１…アイピースシャッタ
５２…アイピースシャッタ検出部
【図１】
2010028759.tif 000003
【図２】
2010028759.tif 000004
【図３】
2010028759.tif 000005